(57)【要約】【課題】在室、空室の区別、在室患者の症度を３段階に容易迅速に表示する簡易な患者情報表示具を提供する。【解決手段】患者情報表示具１は、長方形箱型のケース２と、左右方向に並んでそれぞれケースに左右に移動自在に支持される第１ないし第３のスライド片３，４，５とを具備する。ケース２の裏側壁６の表面に患者特定表示１５と、３つの症度表示１６，１７，１８がある。スライド片３が、開口部１４へ引き出されたとき、症度表示１６を隠し、表面の空室表示１９を露出させる。このとき、スライド片４，５は、症度表示１７，１８を隠す。スライド片３が、摺動空間１１内へ引き込まれたとき、スライド片４，５は、適宜位置において症度表示１６，１７，１８のいずれかを露出させる。【選択図】図１
2018057591.tif 000002
【特許請求の範囲】
【請求項１】
病室の入り口の壁面や扉等に取り付けられる長方形箱型のケースと、左右方向に並んでそれぞれ前記ケースに左右に移動自在に支持される第１ないし第３の３つのスライド片とを具備し、
前記ケースは、長方形状で裏面側において壁面や扉等に貼り付けられ裏側壁と、当該裏側壁の四囲を囲む上、下、左、右の側壁と、当該裏側壁の左側の一部と対向して内側に摺動空間を形成する長方形状の表側壁と、当該表側壁の右側において前記裏側壁の表面の一部である表示部を表側へ露出させる開口部とを具備し、
前記裏側壁の表示部は、左端に位置する患者特定表示と、その右側に左右方向に並んだ第１ないし第３のそれぞれ異なる色彩の症度表示とを具備し、
左端に位置する前記第１のスライド片は、表面に空室情報を表示する空室表示を具備し、前記摺動空間内に引き込まれた在室表示位置と、前記摺動空間から前記開口部へ引き出された空室表示位置との間を左右に移動自在で、空室表示位置において、前記空室表示を露出し、前記患者特定表示と第１の症度表示の表面に重なり、前記第１及び第３のスライド片を前記開口部の右端側へ並べて第２及び第３の症度表示の表面に重ねるように構成され、
中間に位置する前記第２のスライド片は、前記第１のスライド片が在室表示位置にあるとき、前記第１の症度表示の表面に重なる左側位置と前記第２の症度表示の表面に重なる右側位置との間を左右に移動自在で、それにより前記第１の症度表示又は前記第２の症度表示を前記開口部から選択的に露出させるように構成され、
右端に位置する前記第３のスライド片は、前記第２のスライド片が左側位置あるとき、前記第２の症度表示に重なる左側位置と前記第３の症度表示の表面に重なる右側位置との間を左右に移動自在で、それにより前記第２の症度表示又は前記第３の症度表示を前記開口部から選択的に露出させるように構成されることを特徴とする患者情報表示具。
【発明の詳細な説明】
【技術分野】
【０００１】
本発明は、病室の入り口の壁面や扉等に取り付けられ、在室の患者の症度を表示する患者情報表示具に関する。
【背景技術】
【０００２】
従来、フレームの表面側に、情報の表示窓を設け、表示窓に、個別情報カードを着脱自在に装着し、フレームの表面側の両側部にガイド溝を形成し、両ガイド溝に、表面に部屋番号を表示したプライバシー保護カバーを上下方向にスライド可能に装着し、両ガイド溝とプライバシー保護カバーとの間に、プライバシー保護カバーを上下方向の所要位置に停止させるカバーストッパを設けた表示装置が知られている。
【先行技術文献】
【特許文献】
【０００３】
【特許文献１】特開２１０４−０９４７６４号公報
【発明の概要】
【発明が解決しようとする課題】
【０００４】
上記従来の表示装置において用いられる、ガイド溝付きフレームに、保護カバーのような板をスライド可能に装着し、表示を変更する基本機構を採用し、在室の患者の症度を表示するようにした簡易な表示具を提供することを目的としている。
【課題を解決するための手段】
【０００５】
以下、添付図面の符号を参照して説明するが、本発明はこれに限定されるものではない。
上記課題を解決するための、本発明の患者情報表示具１は、病室の入り口の壁面や扉等に取り付けられる長方形箱型のケース２と、左右方向に並んでそれぞれケースに左右に移動自在に支持される第１ないし第３の３つのスライド片３，４，５とを具備する。ケース２は、長方形状で裏面側において壁面や扉等に貼り付けられ裏側壁６と、当該裏側壁６の四囲を囲む上、下、左、右の側壁７，８，９，１０と、当該裏側壁６の左側の一部と対向して内側に摺動空間１１を形成する長方形状の表側壁１２と、当該表側壁１２の右側において裏側壁６の表面の一部である表示部１３を表側へ露出させる開口部１４とを具備する。裏側壁６の表示部１３は、左端に位置する患者特定表示１５と、その右側に左右方向に並んだ第１ないし第３のそれぞれ異なる色彩の症度表示１６，１７，１８とを具備する。左端に位置する第１のスライド片３は、表面に空室情報を表示する空室表示１９を具備し、摺動空間１１内に引き込まれた在室表示位置と、摺動空間１１から開口部１４へ引き出された空室表示位置との間を左右に移動自在で、空室表示位置において、空室表示１９を開口部１４から露出させると共に、ベッド番号などの患者特定表示１５と第１の症度表示１６の表面に重なり、第１及び第３のスライド片４，５を開口部１４の右端側へ並べて第２及び第３の症度表示１７，１８の表面に重ねるように構成される。中間に位置する第２のスライド片４は、第１のスライド片３が在室表示位置にあるとき、第１の症度表示１６の表面に重なる左側位置と第２の症度表示１７の表面に重なる左側位置との間を左右に移動自在で、それにより第１の症度表示１６又は第２の症度表示１７を開口部１４から選択的に露出させるように構成される。右端に位置する第３のスライド片５は、第２のスライド片４が左側位置あるとき、第２の症度表示１７に重なる左側位置と第３の症度表示１８の表面に重なる右側位置との間を左右に移動自在で、それにより第２の症度表示１７又は第３の症度表示１８を開口部１４から選択的に露出させるように構成される。
【発明の効果】
【０００６】
本発明の患者情報表示具１は、ケース２に対して第１ないし第３のスライド片３，４，５を適宜移動させることにより、在室、空室の区別、在室の患者それぞれの症度を３段階に容易迅速に表示することができる。多くの傷病者が殺到する大規模災害時等において、既設の情報通信システムが機能しにくい状況下での使用に適した簡易な患者情報表示具を提供する。
【図面の簡単な説明】
【０００７】
【図１】本発明に係る患者情報表示具の分解斜視図である。
【図２】図１の患者情報表示具の正面図である。
【図３】図２のＩＩＩ−ＩＩＩ断面図である。
【図４】図２のＩＶ−ＩＶ断面図である。
【図５】図１の患者情報表示具における表側壁を切除した状態の正面図である。
【図６】図１の患者情報表示具における患者特定表示及び第１の症度表示を露出させた状態の正面図である。
【図７】図１の患者情報表示具における患者特定表示及び第２の症度表示を露出させた状態の正面図である。
【図８】図１の患者情報表示具における患者特定表示及び第３の症度表示を露出させた状態の正面図である。
【発明を実施するための形態】
【０００８】
図面を参照して本発明の実施の形態を説明する。
患者情報表示具１は、病室の入り口の壁面や扉等に取り付けられる扁平な長方形箱型のケース２と、左右方向に並んでそれぞれケースに左右に移動自在に支持される第１ないし第３の３つのスライド片３，４，５とを具備する。
ケース２は、長方形状で裏面側において壁面や扉等に貼り付けられる裏側壁６と、当該裏側壁６の四囲を囲む上、下、左、右の側壁７，８，９，１０と、当該裏側壁６の左側の一部と対向して内側に摺動空間１１を形成する長方形状の表側壁１２と、当該表側壁１２の右側において裏側壁６の表面の一部である表示部１３を表側へ露出させる矩形状の開口部１４とを具備する。開口部１４の上下縁は、表側壁１２に連続する保持縁３２となっており、スライド片３，４，５の上下縁を摺動自在に保持する。
裏側壁６の表示部１３は、左端に位置する患者特定表示１５と、その右側に左右方向に並んだ第１ないし第３のそれぞれ異なる色彩の症度表示１６，１７，１８とを具備する。
左端に位置する第１のスライド片３は、表面に空室情報を表示する空室表示１９を具備する。第１のスライド片３は、摺動空間１１内に引き込まれた在室表示位置（図１）と、摺動空間１１から開口部１４へ引き出された空室表示位置（図６，７，８）との間を左右に移動自在である。
第１のスライド片３が、図１に示す空室表示位置にあるとき、その表面の空室表示１９を開口部１４から露出させると共に、ベッド番号などの患者特定表示１５と第１の症度表示１６の表面に重なり、また第２及び第３のスライド片４，５を開口部１４の右端側へ押しやっている。この状態で、第２及び第３のスライド片４，５は、第２及び第３の症度表示１７，１８の表面に重なって配置される。したがって、この状態で、室内に患者がいないことがわかる。
中間に位置する第２のスライド片４は、第１のスライド片３が摺動空間１１内の在室表示位置にあるとき、第１の症度表示１６の表面に重なる左側位置と、第２の症度表示１７の表面に重なる右側位置との間を左右に移動自在である。図６に示すように、第２のスライド片４が右側位置にあるとき、患者特定表示１５と第１の症度表示１６が露出し、例えば、第１ベッドの患者の容態が、症度１であることを示し、図７に示すように、それが左側位置にあるとき、患者特定表示１５と第２の症度表示１７が露出し、第１ベッドの患者の容態が、症度２であることを示す。
右端に位置する第３のスライド片５は、図７，８に示すように、第２のスライド片４が左側位置あるとき、第２の症度表示１７に重なる左側位置（図８）と、第３の症度表示１８の表面に重なる右側位置（図７）との間を左右に移動自在である。図７に示すように、第３のスライド片５が右側位置にあるとき、患者特定表示１５と第２の症度表示１７が露出し、例えば、第１ベッドの患者の容態が、症度２であることを示し、図８に示すように、それが左側位置にあるとき、患者特定表示１５と第３の症度表示１８が露出し、第１ベッドの患者の容態が、症度３であることを示す。
ケース２の裏側壁６の上下の縁部には、スライド溝２０が形成される。下側壁８の内側には、４つのデテント溝２１ａ，ｂ，ｃ，ｄが形成される。上側壁７の内側には、ストッパ突起２２が形成される。
スライド片３，４，５は、それぞれ、上下両縁にスライド脚２３，２４，２５を有すると共に、下縁にデテントばね２６，２７，２８を有する。スライド片３は、右端縁に操作突片２９を有する。スライド片４，５は、表面側に、ケース２の開口部１４に嵌合して前方へ露出する操作突部３０，３１を具備する。スライド片３は、ケース２の摺動空間１１内へ引き込まれた状態で、それのデテントばね２６がケースのデテント溝２１ａに係合する。スライド片４は、左側位置においてケースのストッパ突起２２に当接し、それのデテントばね２７が、ケース２のデテント溝２１ｂに係合する。また、右側位置において、スライド片５に当接し、デテントばね２７が、デテント溝２１ｃ係合する。スライド片５は、左側位置においてスライド片４に当接し、デテントばね２８が、デテント溝２１ｃに係合し、また、右側位置において、ケース２の右側壁１０に当接し、デテントばね２８が、デテント溝２１ｄに係合する。
例えば、災害時に、多数の傷病者が発生し、病院に搬送された際に、各患者を重症度、緊急度など（症度）によって３分類し、この症度情報と患者特定情報を関連づけて、各患者を病室に収容する。この際、例えば、患者毎に個人識別番号あるいはベッド番号などの患者特定表示１５を表示した患者情報表示具１を使用し、各表示具１のスライド片３〜５の配置を適宜設定することにより、当該患者に対応するいずれかの症度表示１６〜１８を選択して表示する。この患者情報表示具１を病室の入り口付近の壁面等に貼り付けることにより、個々の在室患者の症度を簡易迅速に把握して、以降の処置、観察等をより適切に行うことができる。
【符号の説明】
【０００９】
１      患者情報表示具
２      ケース
３      第1のスライド片
４      第２のスライド片
５      第３のスライド片
６      裏側壁
７      上側壁
８      下側壁
９      左側壁
１０    右側壁
１１    摺動空間
１２    前側壁
１３    表示部
１４    開口部
１５    患者特定表示
１６    第1の症度表示
１７    第２の症度表示
１８    第３の症度表示
１９    空室表示
２０    スライド溝
２１ａ  デテント溝
２１ｂ  デテント溝
２１ｃ  デテント溝
２１ｄ  デテント溝
２２    ストッパ突起
２３    スライド脚
２４    スライド脚
２５    スライド脚
２６    デテントばね
２７    デテントばね
２８    デテントばね
２９    操作突片
３０    操作突部
３１    操作突部
３２    保持縁
【図１】
2018057591.tif 000003
【図２】
2018057591.tif 000004
【図３】
2018057591.tif 000005
【図４】
2018057591.tif 000006
【図５】
2018057591.tif 000007
【図６】
2018057591.tif 000008
【図７】
2018057591.tif 000009
【図８】
2018057591.tif 000010
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
病室の入り口の廊下側の側壁面や扉の外側面に取り付けられる長方形箱型のケースと、左右方向に順に配置されそれぞれ前記ケース内を左右に移動自在に支持される第１ないし第３の３つのスライド片とを具備し、
前記ケースは、長方形状で裏面側において壁面や扉等に貼り付けられ裏側壁と、当該裏側壁の四囲を囲む上、下、左、右の側壁と、当該裏側壁の左端側と対向して内側に摺動空間を形成する長方形状の表側壁と、当該表側壁の右側において前記裏側壁の表面の表示部を表側へ露出させる開口部とを具備し、
前記裏側壁の表示部は、左端に位置する患者特定表示と、その右側に左から右へ向かって軽症、中症、重症の順に並んで隣接する第１ないし第３のそれぞれ異なる色彩の症度表示とを具備し、
左端に位置する前記第１のスライド片は、表面に空室情報を表示する空室表示を具備し、前記摺動空間内に引き込まれた在室表示位置と、前記摺動空間から前記開口部へ引き出された空室表示位置との間を左右に移動自在で、空室表示位置に配置すると、空室表示を露出し、前記患者特定表示と第１の症度表示の表面に重なると共に、前記第２及び第３のスライド片を開口部の残余に押し出してこれらが第２及び第３の症度表示に重なるように構成され、
中間に位置する前記第２のスライド片は、前記第１のスライド片が在室表示位置にある状態で、前記第１の症度表示の表面に重なる左側位置と前記第２の症度表示の表面に重なる右側位置との間を左右に移動自在で、それにより前記第１の症度表示又は前記第２の症度表示を前記開口部から選択的に露出させるように構成され、
右端に位置する前記第３のスライド片は、前記第１のスライド片が在室表示位置にあると共に、前記第２のスライド片が左側位置ある状態で、前記第２の症度表示に重なる左側位置と前記第３の症度表示の表面に重なる右側位置との間を左右に移動自在で、それにより前記第２の症度表示又は前記第３の症度表示を前記開口部から選択的に露出させるように構成され、
前記第２及び第３のスライド片は、前記第１のスライド片が在室表示位置にあるとき、前記開口部の第１ないし第３の症度表示のいずれかに重なることにより、第１ないし第３の症度表示のいずれかを択一的に露出させることを特徴とする患者情報表示具。
【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
病室入り口の扉の外側面又は当該扉の外側面周辺の壁面に取り付けられる長方形箱型のケース（２）と、左側から右側に向けて順番に配置され相互に間隔を置き又は隣接するようにそれぞれ前記ケース（２）に左右に移動自在に支持される第１ないし第３の３つのスライド片（３）、（４）、（５）とを具備し、
前記ケース（２）は、長方形状で裏面側において前記扉の外側面又は前記壁面に貼り付けられる裏側壁（６）と、当該裏側壁（６）の四囲を囲む上、下、左、右の側壁（７）、（８）、（９）、（１０）と、内側に前記第１のスライド片（３）を引き込んで隠蔽できる摺動空間（１１）を形成するように前記裏側壁（６）の左側部分と対向する長方形状の表側壁（１２）と、当該表側壁（１２）の右側において前記裏側壁（６）の表面の表示部（１３）を表側へ露出させる開口部（１４）とを具備し、
前記裏側壁（６）の表示部（１３）は、左端に位置する患者特定表示（１５）と、その右側に左側から右側に向かって軽症、中症、重症の順番に並んだ第１ないし第３のそれぞれ異なる色彩の症度表示（１６）、（１７）、（１８）とを具備し、
左端に位置する前記第１のスライド片（３）は、表面に空室情報を表示する空室表示（１９）を具備し、前記摺動空間（１１）内に引き込まれて前記空室表示（１９）が隠蔽される在室表示位置と、前記摺動空間（１１）から前記開口部（１４）へ引き出されて前記空室表示（１９）が露出する空室表示位置との間を左右に移動自在で、空室表示位置において、前記患者特定表示（１５）と前記第１の症度表示（１６）とを隠蔽すると共に、前記第２及び第３のスライド片（４）、（５）を前記開口部（１４）の右端側へ並べて前記第２及び第３の症度表示（１７）、（１８）を隠蔽するように構成され、
中間に位置する前記第２のスライド片（４）は、前記第１のスライド片（３）が前記摺動空間（１１）内に引き込まれた在室表示位置にあるとき、前記第１の症度表示（１６）を隠蔽して前記第２の症度表示（１７）を露出させる左側位置と前記第２の症度表示（１７）を隠蔽して前記第１の症度表示（１６）を露出させる右側位置との間を左右に移動自在で、それにより前記第１の症度表示（１６）又は前記第２の症度表示（１７）を前記開口部（１４）から選択的に露出させるように構成され、
右端に位置する前記第３のスライド片（５）は、前記第１のスライド片（３）が前記摺動空間（１１）内に引き込まれた在室表示位置にあり、かつ前記第２のスライド片（４）が左側位置にあって前記第１の症度表示（１６）を隠蔽するとき、前記第２の症度表示（１７）を隠蔽して前記第３の症度表示（１８）を露出させる左側位置と前記第３の症度表示（１８）を隠蔽して前記第２の症度表示（１７）を露出させる右側位置との間を左右に移動自在で、それにより前記第２の症度表示（１７）又は前記第３の症度表示（１８）を前記開口部（１４）から選択的に露出させるように構成されることを特徴とする患者情報表示具。